(57)【特許請求の範囲】
【請求項１】
支柱側面に配置された取付金具は、柵ビーム端部を受ける受け部を備えた下金具と、該下金具に被せられ、柵ビーム端部を覆う上金具と、支柱に対して下金具と反対側に配置され、支柱に取付けられる背面金具とを備え、前記柵ビーム端部にはその上下側面に取付孔が貫通され、前記下金具の受け部内面には、柵ビーム端部の下側面に設けられた取付孔に挿入される下金具筒状突起が突設され、前記上金具内面には、柵ビーム端部の上側面に設けられた取付孔に挿入される上金具筒状突起が、前記下金具筒状突起に相対向して突設されて、前記上金具筒状突起及び下金具筒状突起の中空内にボルトが挿通・螺入されるとともに、前記背面金具の内面には、その内周面に雌ネジが刻設された有底状の背面金具筒状突起が突設され、該背面金具筒状突起が前記支柱に穿設された金具取付孔に挿入され、前記下金具に穿設された貫通孔に挿入されたボルトが前記背面金具筒状突起に螺着されて、柵ビームが取付金具を介して支柱に取付けられていることを特徴とする柵ビームの取付構造。
【請求項２】
前記上金具筒状突起は、その内周面に雌ネジが刻設された有底状となされると共に、下金具の下方から下金具筒状突起及び柵ビーム端部に設けられた取付孔にボルトが挿通され、上金具筒状突起に前記ボルトが螺入されていることを特徴とする請求項１に記載の柵ビームの取付構造。
【発明の詳細な説明】
【技術分野】
【０００１】
本発明は道路等に設置されるパネル柵やビーム柵等の柵のビーム取付構造に関するものである。
【背景技術】
【０００２】
従来、道路等に設置される柵のビーム取付構造としては、例えば、中空の支柱にビーム長手方向端部を固定するビーム固定装置であって，上記支柱のビーム取付位置に形成した取付開口と，該取付開口に挿入しその下側縁部を受入れ遊嵌する遊嵌取付部及び上記ビーム長手方向端部を載置する半円状のビーム載置部を有して上記支柱の取付開口に遊嵌取付部を介して上下方向首振自在に先付け設置する下位ブラケットと，該下位ブラケットの先付け設置と上記ビ−ム載置部へのビーム長手方向端部の載置状態で上記取付開口にくぐり回動して挿入しその上側縁部に抜止め係合する抜止め係合部及び上記ビーム長手方向端部を上押えする半円状のビーム押え部を有して上記支柱の取付開口に後付け設置する上位ブラケットと，上記ビーム載置部とビーム押え部間に配設し上記取付開口に対する抜止め係合部のくぐり回動の挿入によりこれら下位ブラケットと上位ブラケットを水平円形に位置決め誘導する回動案内手段と，上記ビーム長手方向端部を貫通して上記ビーム載置部とビーム押え部間とを締着してこれら下位ブラケットと上位ブラケットを一体化する締着具とを備えてなる柵用ビーム固定装置を用いた柵のビーム取付構造が提案されている。（特許文献１）
【０００３】
【特許文献１】特開平１０−２３８１７０号公報
【発明の概要】
【発明が解決しようとする課題】
【０００４】
しかしながら、上記防護柵のビーム取付構造においては、柵のビームを下位ブラケットに仮置きした際、ビームが遊動したり、何らかの外力がビームに作用すると、容易にビームが落下し破損したり、その落下により作業者が負傷する要因となっていた。
【０００５】
そこで本発明は、柵のビームを金具に仮置きした際、ビームが容易に落下するのを抑制する柵のビーム取付構造を提供せんとするものである。
【課題を解決するための手段】
【０００６】
上記目的を達成するために、本発明は次のような構成としている。
すなわち、本発明に係る柵のビーム取付構造は、支柱側面に配置された取付金具は、柵ビーム端部を受ける受け部を備えた下金具と、該下金具に被せられ、柵ビーム端部を覆う上金具と、支柱に対して下金具と反対側に配置され、支柱に取付けられる背面金具とを備え、前記柵ビーム端部にはその上下側面に取付孔が貫通され、前記下金具の受け部内面には、柵ビーム端部の下側面に設けられた取付孔に挿入される下金具筒状突起が突設され、前記上金具内面には、柵ビーム端部の上側面に設けられた取付孔に挿入される上金具筒状突起が、前記下金具筒状突起に相対向して突設されて、前記上金具筒状突起及び下金具筒状突起の中空内にボルトが挿通・螺入されるとともに、前記背面金具の内面には、その内周面に雌ネジが刻設された有底状の背面金具筒状突起が突設され、該背面金具筒状突起が前記支柱に穿設された金具取付孔に挿入され、前記下金具に穿設された貫通孔に挿入されたボルトが前記背面金具筒状突起に螺着されて、柵ビームが取付金具を介して支柱に取付けられていることを特徴とするものである。
【０００７】
また、本発明に係る柵のビーム取付構造は、前記上金具筒状突起は、その内周面に雌ネジが刻設された有底状となされると共に、下金具の下方から下金具筒状突起及び柵ビーム端部に設けられた取付孔にボルトが挿通され、上金具筒状突起に前記ボルトが螺入されていることを特徴とするものである。
【発明の効果】
【０００８】
本発明に係る柵のビーム取付構造によれば、支柱側面に配置された取付金具は、柵ビーム端部を受ける受け部を備えた下金具と、該下金具に被せられ、柵ビーム端部を覆う上金具と、支柱に対して下金具と反対側に配置され、支柱に取付けられる背面金具とを備え、前記柵ビーム端部にはその上下側面に取付孔が貫通され、前記下金具の受け部内面には、柵ビーム端部の下側面に設けられた取付孔に挿入される下金具筒状突起が突設され、前記上金具内面には、柵ビーム端部の上側面に設けられた取付孔に挿入される上金具筒状突起が、前記下金具筒状突起に相対向して突設されて、前記上金具筒状突起及び下金具筒状突起の中空内にボルトが挿通・螺入されるとともに、前記背面金具の内面には、その内周面に雌ネジが刻設された有底状の背面金具筒状突起が突設され、該背面金具筒状突起が前記支柱に穿設された金具取付孔に挿入され、前記下金具に穿設された貫通孔に挿入されたボルトが前記背面金具筒状突起に螺着されて、柵ビームが取付金具を介して支柱に取付けられているため、柵ビームを取付金具に仮置きする際、支柱側面に取付けられた下金具の受け部内面に突設された下金具筒状突起を、柵ビーム端部の下側面に設けられた取付孔に挿入すれば、柵ビームに何らかの外力が作用しても、下金具筒状突起によって、柵ビームが落下するのを抑制できるのに加えて、柵ビームの位置決めがなされるため、柵ビーム端部の上側面に設けられた取付孔に上金具筒状突起を嵌め込みやすく、柵の施工を効率的に行うことができる。更には、万一、何らかの要因によりボルトが緩み脱落した場合でも、上金具筒状突起及び下金具筒状突起とが柵ビーム端部の取付孔に引っ掛かっているので、即座に柵ビームが落下する危険を防止することができる。
【０００９】
また本発明に係る柵のビーム取付構造によれば、前記上金具筒状突起は、その内周面に雌ネジが刻設された有底状となされると共に、下金具の下方から下金具筒状突起及び柵ビーム端部に設けられた取付孔にボルトが挿通され、上金具筒状突起に前記ボルトが螺入されているため、上金具の上面にボルト・ナットが剥き出しになることがなく、それに引っ掛かってケガをする危険性を低減できる。
【図面の簡単な説明】
【００１０】
【図１】本発明に係る柵のビーム取付構造の実施の一形態を示す正面図である。
【図２】図１に示す柵のビーム取付構造の分解斜視図である。
【図３】図１に示す柵のビーム取付構造に用いる上金具の内面側を示す斜視図である。
【図４】図１に示す柵のビーム取付構造の要部断面図である。
【発明を実施するための形態】
【００１１】
本発明の実施の形態について、図面に基づき以下に具体的に説明する。
図において、１は間隔をおいて地面に複数立設された円筒パイプからなる支柱であり、その上端には支柱キャップ１１が嵌着され閉鎖されている。２は支柱１間に差し渡された柵ビームであり、該柵ビーム端部２１にはその上下側面に取付孔２２が貫通され、３は支柱１側面に配置された取付金具であり、取付金具３は、柵ビーム端部２１を受ける受け部４１を備えた下金具４と、該下金具４に被せられ、柵ビーム端部２１を覆う上金具５と、支柱１に対して下金具４と反対側に配置され、支柱１に取付けられる背面金具６とを備えており、柵ビーム２が取付金具３を介して支柱１に取付けられている。
【００１２】
下金具４の受け部内面４２には、柵ビーム端部２１の下側面に設けられた取付孔２２に挿入される下金具筒状突起４３が突設され、前記上金具内面５１には、柵ビーム端部２１の上側面に設けられた取付孔２２に挿入される上金具筒状突起５２が、前記下金具筒状突起４３に相対向して突設されて、該上金具筒状突起５２は、その内周面に雌ネジ５３が刻設された有底状となされると共に、下金具４の下方から下金具筒状突起４３及び柵ビーム端部２１に設けられた取付孔２２にボルトＢ１が挿通され、上金具筒状突起５２に前記ボルトＢ１が螺入されて、柵ビーム２が支柱１に取付けられている。
【００１３】
下金具４は、パイプ状の支柱１の外形に沿う半円柱状に凹んだ支柱取付部４４を備え、該支柱取付部４４の下部から先端に向けて柵ビーム端部２１を受ける半円柱状の受け部４１が延設され、該受け部内面４２の底に、間隔をあけて２個の下金具筒状突起４３が突設されている。また、支柱取付部４４の上部には貫通孔４５が穿設されている。そして、該貫通孔４５の支柱取付部４４側の周縁に連設されて支柱取付部筒状突起４６が突設されている。
【００１４】
上金具５は、下金具４の支柱取付部４４の上部に嵌着される嵌着部５４から先端に向けて柵ビーム端部２１を覆う半円柱状の被覆部５５が延設され、該被覆部５５の内面頂部に、柵ビーム端部２１の上側面に設けられた取付孔２２に挿入される上金具筒状突起５２が、前記下金具筒状突起４３に相対向して突設されている。
【００１５】
背面金具６は、パイプ状の支柱１の外形に沿う半円柱状に形成され、その内面６１には背面金具筒状突起６２が突設され、その内周面に雌ネジ６３が刻設された有底状となされている。
【００１６】
次に、支柱１に柵ビーム２を取付ける方法を説明する。
支柱１側面の所定の位置に相対向して穿設された金具取付孔１２の一方に、下金具４の支柱取付部４４に突設された支柱取付部筒状突起４６が挿入されて、ボルトＢ２が挿通され、他方の金具取付孔１２に背面金具６の内面６１に突設された背面金具筒状突起６２を挿入し、その内周面に刻設された雌ネジ６３に前記ボルトＢ２を螺入して、下金具４と背面金具６とを支柱１に固定する。次に、下金具４の受け部内面４２に突設された下金具筒状突起４３に、柵ビーム端部２１の下側面に設けられた取付孔２２を嵌め込み仮置き状態となし、上金具５の内面頂部に突設された上金具筒状突起５２を柵ビーム端部２１の上側面に設けられた取付孔２２に挿入し、下金具４の下方から下金具筒状突起４３及び取付孔２２にボルトＢ１を挿通し、上金具筒状突起５２にボルトＢ１を螺入して、取付金具３を介して支柱１に柵ビーム２を取付けている。
【産業上の利用可能性】
【００１７】
本発明に係る柵のビーム取付構造によれば、支柱側面に配置された取付金具は、柵ビーム端部を受ける受け部を備えた下金具と、該下金具に被せられ、柵ビーム端部を覆う上金具とを備え、前記柵ビーム端部にはその上下側面に取付孔が貫通され、前記下金具の受け部内面には、柵ビーム端部の下側面に設けられた取付孔に挿入される下金具筒状突起が突設され、前記上金具内面には、柵ビーム端部の上側面に設けられた取付孔に挿入される上金具筒状突起が、前記下金具筒状突起に相対向して突設されて、前記上金具筒状突起及び下金具筒状突起の中空内にボルトが挿通・螺入されて、柵ビームが取付金具を介して支柱に取付けられているため、柵ビームを取付金具に仮置きする際、支柱側面に取付けられた下金具の受け部内面に突設された下金具筒状突起を、柵ビーム端部の下側面に設けられた取付孔に挿入すれば、柵ビームに何らかの外力が作用しても、下金具筒状突起によって柵ビームが落下するのを抑制できる柵のビーム取付構造として、好適に利用することができる。
【符号の説明】
【００１８】
１    支柱
１１  支柱キャップ
１２  金具取付孔
２    柵ビーム
２１  柵ビーム端部
２２  取付孔
３    取付金具
４    下金具
４１  受け部
４２  受け部内面
４３  下金具筒状突起
４４  支柱取付部
４５  貫通孔
４６  支柱取付部筒状突起
５    上金具
５１  上金具内面
５２  上金具筒状突起
５３  雌ネジ
５４  嵌着部
５５  被覆部
６    背面金具
６１  背面金具内面
６２  背面金具筒状突起
６３  雌ネジ
Ｂ１、Ｂ２    ボルト
【図１】
0005608451.tif 000002
【図２】
0005608451.tif 000003
【図３】
0005608451.tif 000004
【図４】
0005608451.tif 000005